(57)【要約】【課題】携帯電話や小物等の収納物の取付けが簡単で、かつ落下しない、しかも露出した部分の少ない小物収納用リストバンドを提供する。【解決手段】手首１１に着脱可能な伸縮性を有する布材からなるリストバンド本体１２と、リストバンド本体１２の表面側に設けられ、携帯電話、たばこ、財布、薄型デジタルカメラ、及びその他の小物の少なくとも１からなる収納物１５を入れることが可能で、その出入口１６には収納物１５の落下を防止する閉塞機構１７が設けられた収納体１８とを有する。【選択図】        図１
2004344565.tif 000002
【特許請求の範囲】
【請求項１】
手首に着脱可能な伸縮性を有する布材からなるリストバンド本体と、
前記リストバンド本体の表面側に設けられ、携帯電話、たばこ、財布、薄型デジタルカメラ、及びその他の小物の少なくとも１からなる収納物を入れることが可能で、その出入口には前記収納物の落下を防止する閉塞機構が設けられた袋状の収納体とを有することを特徴とする小物収納用リストバンド。
【請求項２】
請求項１記載の小物収納用リストバンドにおいて、前記収納体は前記リストバンド本体に、対となる面状ファスナーを介して着脱可能に設けられていることを特徴とする小物収納用リストバンド。
【請求項３】
請求項１及び２のいずれか１項に記載の小物収納用リストバンドにおいて、前記閉塞機構は、一端が前記出入口に固定された蓋部材と、該蓋部材の他端側を前記収納体の一部に固定するファスナーとからなって、しかも、該ファスナーは、フック、面状ファスナー、及びボタンのいずれか１からなることを特徴とする小物収納用リストバンド。
【請求項４】
請求項１及び２のいずれか１項に記載の小物収納用リストバンドにおいて、前記閉塞機構は、ジッパー及び紐のいずれか１からなることを特徴とする小物収納用リストバンド。
【発明の詳細な説明】
【０００１】
【発明の属する技術分野】
本発明は、携帯電話、たばこ、財布、薄型デジタルカメラ、その他の小物等を手首に装着する小物収納用リストバンドに関する。
【０００２】
【従来の技術】
従来、携帯電話を手首に装着するリストバンドとして、手首に装着可能なリストバンド本体と、リストバンド本体の表面に取付けられた支持部と、携帯電話を挟持して支持部に保持する保持部とを備えた形態のものが知られている（例えば、特許文献１参照）。
この携帯電話用リストバンドにおいては、コイルバネを利用した保持部により携帯電話を挟持し、支持部及びリストバンド本体を介して携帯電話を手首に脱着でき、しかも、リストバンド本体に取付けた連結部材のフックと携帯電話のつり紐とを繋ぐことによって、たとえ、携帯電話が保持部の固定された挟持部と可動挟持部材との間から外れても、落下又は紛失を防止することができるように構成されている。
【０００３】
【特許文献１】
特開２００２−３４４５９０号公報（要約、図１〜図３）
【０００４】
【発明が解決しようとする課題】
しかしながら、前記従来の携帯電話用リストバンドにおいては、未だ解決すべき以下のような問題があった。
連結部材により携帯電話の落下又は紛失を確実に防止することができるが、必要に応じて、携帯電話をリストバンド本体から取り外したり、また、携帯電話をリストバンド本体に取付けたりする手間がかかった。また、携帯電話の略全部が露出しているので、傷が付き易いく、外見も悪いという問題もあった。さらに、支持部を介して保持部を備えているので、複雑な構成となっており、製造コストが高くなるという問題があった。
更には、携帯電話等の小物を収納する小物ケースを腰ベルトに固定することもできるが、腰ベルトを使用しない者に対しては、小物ケースを取付けることができなかった。また、ポケットの無い衣服の場合には、携帯電話等の小物を収納することができなかった。さらに、胸ポケットに入れた携帯電話やデジタルカメラが胸ポケットから落下して壊れることもあったり、たばこやライターが胸ポケットから落下して無くなることもあった。
【０００５】
本発明はこのような事情に鑑みてなされたもので、携帯電話や小物等の収納物の取付けが簡単で、かつ落下しない、しかも露出した部分の少ない小物収納用リストバンドを提供することを目的とする。
【０００６】
【課題を解決するための手段】
前記目的に沿う第１の発明に係る小物収納用リストバンドは、手首に着脱可能な伸縮性を有する布材からなるリストバンド本体と、
前記リストバンド本体の表面側に設けられ、携帯電話、たばこ、財布、薄型デジタルカメラ、その他の小物の少なくとも１からなる収納物を入れることが可能で、その出入口には前記収納物の落下を防止する閉塞機構が設けられた袋状の収納体とを有する。
これによって、携帯電話、たばこ、財布、薄型デジタルカメラ、及びその他の小物の少なくとも１からなる収納物を、リストバンド本体の表面側に設けた収納体に入れ、リストバンド本体を介して収納物を手首に装着することができる。
【０００７】
第２の発明に係る小物収納用リストバンドは、第１の発明に係る小物収納用リストバンドにおいて、前記収納体は前記リストバンド本体に、対となる面状ファスナーを介して着脱可能に設けられている。これによって、収納体をリストバンド本体に簡単に着脱でき、かつ、収納体をリストバンド本体にしっかりと固定できる。
第３の発明に係る小物収納用リストバンドは、第１及び第２の発明に係る小物収納用リストバンドにおいて、前記閉塞機構は、一端が前記出入口に固定された蓋部材と、該蓋部材の他端側を前記収納体の一部に固定するファスナーとからなって、しかも、該ファスナーは、フック、面状ファスナー、及びボタンのいずれか１からなる。これによって、フック、面状ファスナー、及びボタンのいずれか１からなるファスナーを介して蓋部材を収納体の一部に固定することができる。
第４の発明に係る小物収納用リストバンドは、第１及び第２の発明に係る小物収納用リストバンドにおいて、前記閉塞機構は、ジッパー及び紐のいずれか１からなる。これによって、ジッパー及び紐のいずれか１からなる閉塞機構により、収納体内の収納物の落下を防止することができる。
【０００８】
【発明の実施の形態】
続いて、添付した図面を参照しつつ、本発明を具体化した実施の形態につき説明し、本発明の理解に供する。
ここに、図１は本発明の第１の実施の形態に係る小物収納用リストバンドを手首に装着した状態を示す説明図、図２は同小物収納用リストバンドの上側からの斜視図、図３は同小物収納用リストバンドの横側からの斜視図、図４は本発明の第２の実施の形態に係る小物収納用リストバンドの斜視図、図５は本発明の第３の実施の形態に係る小物収納用リストバンドの斜視図、図６は第１の変形例に係る収納体の斜視図、図７は第２の変形例に係る収納体の斜視図である。
【０００９】
図１〜図３に示すように、本発明の第１の実施の形態に係る小物収納用リストバンド１０は、手首１１に着脱可能な伸縮性を有する布材からなるリストバンド本体１２と、リストバンド本体１２の表面側に設けられ、複数本の巻たばこが入ったたばこケース１３及びライター１４からなる収納物１５を入れることが可能で、その出入口１６には収納物１５の落下を防止する閉塞機構１７が設けられた袋状の収納体１８とを有している。閉塞機構１７は、一端が出入口１６に固定された蓋部材１９と、蓋部材１９の他端側を収納体１８の一部に固定するファスナーの一例である対となる面状ファスナーを構成する、例えば、ループテープ２０及びフックテープ２１とからなっている。以下、これらについて詳しく説明する。
【００１０】
リストバンド本体１２の布材は、タオル地であって、偏平の筒状に形成されている。リストバンド本体１２のサイズは、一例として、長さＬ＝８〜１２ｃｍ、幅Ｈ＝４〜１０ｃｍである。リストバンド本体１２の表面には軸方向に沿って、色の異なる（本実施の形態では黒色と灰色）リング状のストライプ２２〜２６、２７〜３０が交互に描写されている。
図２に示すように、収納体１８はリストバンド本体１２に、２つの対となる面状ファスナーを構成する、例えば、ループテープ３１及びフックテープ３２とループテープ３３及びフックテープ３４を介して着脱可能に設けられている。即ち、リストバンド本体１２の表面側（図２の上側）には、矩形状のループテープ３１、３３が取付けられており、一方、ループテープ３１、３３に対応する収納体１８の裏側（図２の下側）には、それぞれフックテープ３２、３４が取付けられている。ループテープ３１、３３及びフックテープ３２、３４のサイズは、一例として、幅が３．５ｃｍ、長さが３．５ｃｍである。
【００１１】
収納体１８は、たばこケース１３及びライター１４からなる収納物１５を長さ方向に収納でき、しかも、収納物１５を取り外し可能な出入口１６が形成されている。収納体１８の閉塞機構１７は出入口１６に設けられており、出入口１６の裏側（下側）端には、一端が固定された蓋部材１９が一体的に設けられ、蓋部材１９の先端部の裏面（図２では上面）には、円弧状のフックテープ２１が取付けられている。蓋部材１９のフックテープ２１の位置に対応する収納体１８の下部（図２では右部）の表面には、フックテープ２１と対となって面状ファスナーを構成するループテープ２０が設けられている。従って、蓋部材１９を基端を介して折り曲げて、フックテープ２１をループテープ２０に合致させることにより蓋部材１９の中間部で出入口１６を覆うことができ、閉塞機構１７により収納物１５の落下を防止することができる。なお、蓋部材１９を含む収納体１８の材質は、布、皮、ビニールのいずれかを使用することができる。また、蓋部材１９を含む収納体１８の幅ｈは約４〜７ｃｍ程度であり、縁部には縁取り処理が施されている。
【００１２】
次いで、本発明の第１の実施の形態に係る小物収納用リストバンド１０の使用方法について、図を参照しながら説明する。
（１）図２及び図３に示すように、リストバンド本体１２に収納体１８を、２つの面状ファスナーであるループテープ３１及びフックテープ３２、ループテープ３３及びフックテープ３４を介して取付ける。但し、収納体１８には、たばこケース１３及びライター１４は収納されていない。
（２）図１に示すように、リストバンド本体１２を使用者の左側の手首１１に挿着する。
（３）右側の手（図示せず）を使って、収納体１８内に出入口１６を介して、複数本の巻たばこが入っているたばこケース１３及びライター１４を収納する。
【００１３】
（４）閉塞機構１７の蓋部材１９のフックテープ２１をループテープ２０に合致させる。この状態で、使用者はリストバンド本体１２を介してたばこケース１３及びライター１４を携帯することができる。
（５）たばこを吸いたい時には、蓋部材１９のフックテープ２１をループテープ２０から引き離して、たばこケース１３及びライター１４を収納体１８の出入口１６から取り出す。
（６）たばこケース１３から巻たばこを１本だけ抜き出し、ライター１４で火を起こして、巻たばこに火をつける。
【００１４】
（７）１本の巻たばこを抜いたたばこケース１３及びライター１４は収納体１８に再び収納し、閉塞機構１７の蓋部材１９を閉じて収納体１８の出入口１６を塞ぐ。
（８）再び、たばこを吸いたい時には、前記（５）〜（７）を所定の回数繰り返す。
たばこケース１３及びライター１４の携帯が不要になった時には、基本的に前記した取付けの要領を逆に行なって、例えば、リストバンド本体１２を左側の手首１１から取り外し、リストバンド本体１２と収納体１８とを分離し、収納体１８からたばこケース１３及びライター１４を取り出す。
【００１５】
図４に示す本発明の第２の実施の形態に係る小物収納用リストバンド４０は、手首（図示せず）に着脱可能な伸縮性を有する布材からなるリストバンド本体４１と、リストバンド本体４１の表面側（図４の上側）に設けられ、収納物の一例である薄型デジタルカメラ（図示せず）を入れることが可能で、その出入口４２には前記薄型デジタルカメラの落下を防止する閉塞機構４３が設けられた収納体４４を有している。閉塞機構４３は、一端がリストバンド本体４１側の出入口４２に固定された蓋部材の一例である細長状の掛止バンド４５と、掛止バンド４５の他端側を収納体４４の一部（表面側）に固定する対となる面状ファスナー（図示せず）からなっている。リストバンド本体４１はリストバンド本体１２と同様、表面には軸方向に沿って、色の異なる（本実施の形態では黒色と青色）ストライプが交互に描写されている。なお、小物収納用リストバンド４０の使用方法は、小物収納用リストバンド１０と略同じであるので、説明を割愛する。
【００１６】
図５に示す本発明の第３の実施の形態に係る小物収納用リストバンド５０は、手首（図示せず）に着脱可能な伸縮性を有する布材からなるリストバンド本体５１と、リストバンド本体５１の表面側（図５では手前側）に設けられ、収納物の一例である携帯電話５２を入れることが可能で、その出入口（図示せず）には携帯電話５２の落下を防止する、前記閉塞機構１７に準ずる閉塞機構が設けられた収納体５３を有している。図５に示すように、収納体５３の表面側（図では手前側）には、小犬のマスコットが形成されており、しかも、閉塞機構の蓋部材には小犬の顔部が配置されている。
リストバンド本体５１もリストバンド本体４１と同様、表面には軸方向に沿って、色の異なる（本実施の形態では黒青色）ストライプが交互に描写されている。なお、小物収納用リストバンド５０の使用方法は、小物収納用リストバンド１０、４０と略同じであるので、説明を割愛する。
【００１７】
図６に示す第１の変形例の収納体６０は、前記リストバンド本体１２、４１、５１の表面側に設けられ、収納物の一例である財布（図示せず）を入れることが可能で、その出入口（図示せず）には前記財布の落下を防止する閉塞機構の一例であるジッパー６１が設けられている。収納体６０には、リストバンド本体１２、４１、５１の表面側に設けられた一方の２つのループテープ（図示せず）とそれぞれ対となる２つのフックテープ６２、６３が設けられている。
【００１８】
図７に示す第２の変形例の収納体７０も、第１の変形例の収納体６０と同様、前記リストバンド本体１２、４１、５１の表面側に設けられ、収納物の一例である財布（図示せず）を入れることが可能で、その出入口（図示せず）には前記財布の落下を防止する閉塞機構の一例である紐７１が、収納体７０の出入口付近の周方向に所定のピッチで形成されている孔を挿通して設けられている。収納体７０は、リストバンド本体１２、４１、５１の表面側に設けられた２つのループテープ（図示せず）とそれぞれ対となる２つのフックテープ７２、７３が設けられている。
【００１９】
本発明は前記した実施の形態に限定されるものではなく、本発明の要旨を変更しない範囲での変更は可能であり、例えば、前記したそれぞれの実施の形態や変形例の一部又は全部を組み合わせて本発明の小物収納用リストバンドを構成する場合も本発明の権利範囲に含まれる。
前記実施の形態においては、収納体をリストバンド本体に、対となる面状ファスナーを介して着脱可能に設けたが、これに限定されず、必要に応じて、その他の方法により着脱可能に設けることもでき、また、状況に応じて、収納体をリストバンド本体に一体的に形成することもできる。
【００２０】
リストバンド本体１２、４１、５１には、円周方向にストライプを設けたが、これに限定されず、状況に応じて、他の図柄を描写したり又はストライプを省略して無地にすることもできる。また、タオル地のものを使用したが、これに限定されず、必要に応じて、一般にサポーターと呼ばれるゴム布地のものを使用することもできる。
閉塞機構１７においては、蓋部材１９を収納体１８に固定するファスナーとして面状ファスナーを用いたが、これに限定されず、必要に応じて、別の構造、例えば、フック、ボタン等を用いることもできる。
小物収納用リストバンド１０の収納体１８には、たばこケース１３及びライター１４からなる収納物１５を入れたが、これに限定されず、状況に応じて、その他の小物からなる収納物を単独で又は組み合わせて入れることもできる。また、複数本の巻たばこが入ったたばこケース１３を収納体１８に入れたが、これに限定されず、必要に応じて、複数本の巻たばこを直接、収納体１８に入れることもできる。
【００２１】
【発明の効果】
請求項１〜４記載の小物収納用リストバンドにおいては、携帯電話、たばこ、財布、薄型デジタルカメラ、その他の小物の少なくとも１からなる収納物を、リストバンド本体の表面側に設けた収納体に入れ、リストバンド本体を介して収納物を手首に装着することができるので、収納体の外に露出した収納物の部分が少ないので、収納物を損傷することが少なくなり、収納物の取付け取り外しの使い勝手が良く、かつ、収納物を落下させないで確実に手首に装着できる。
特に、請求項２記載の小物収納用リストバンドにおいては、収納体をリストバンド本体に簡単に着脱できるので誰でも使用可能であり、かつ、収納体をリストバンド本体にしっかりと固定できるので、落下の恐れが無い。
【００２２】
請求項３記載の小物収納用リストバンドにおいては、フック、面状ファスナー、及びボタンのいずれか１からなるファスナーを介して蓋部材を収納体の一部に固定することにより、蓋部材の開閉操作で収納体内の収納物の落下を防止することができる。
請求項４記載の小物収納用リストバンドにおいては、ジッパー及び紐のいずれか１からなる閉塞機構により、収納体内の収納物の落下を確実に防止することができる。
【図面の簡単な説明】
【図１】本発明の第１の実施の形態に係る小物収納用リストバンドを手首に装着した状態を示す説明図である。
【図２】同小物収納用リストバンドの上側からの斜視図である。
【図３】同小物収納用リストバンドの横側からの斜視図である。
【図４】本発明の第２の実施の形態に係る小物収納用リストバンドの斜視図である。
【図５】本発明の第３の実施の形態に係る小物収納用リストバンドの斜視図である。
【図６】第１の変形例に係る収納体の斜視図である。
【図７】第２の変形例に係る収納体の斜視図である。
【符号の説明】
１０：小物収納用リストバンド、１１：手首、１２：リストバンド本体、１３：たばこケース、１４：ライター、１５：収納物、１６：出入口、１７：閉塞機構、１８：収納体、１９：蓋部材、２０：ループテープ、２１：フックテープ、２２〜３０：ストライプ、３１：ループテープ、３２：フックテープ、３３：ループテープ、３４：フックテープ、４０：小物収納用リストバンド、４１：リストバンド本体、４２：出入口、４３：閉塞機構、４４：収納体、４５：掛止バンド、５０：小物収納用リストバンド、５１：リストバンド本体、５２：携帯電話、５３：収納体、６０：収納体、６１：ジッパー（閉塞機構）、６２、６３：フックテープ、７０：収納体、７１：紐（閉塞機構）、７２、７３：フックテープ
【図１】
2004344565.tif 000003
【図２】
2004344565.tif 000004
【図３】
2004344565.tif 000005
【図４】
2004344565.tif 000006
【図５】
2004344565.tif 000007
【図６】
2004344565.tif 000008
【図７】
2004344565.tif 000009